(57)【要約】【課題】マスタデータを修正するための作業時間の制限を少なくし、作業負担を軽減する。【解決手段】管理システム２は、クライアント管理装置４と、サーバ管理装置５とを備える。サーバ管理装置５は、送信用マスタデータ１１Ｃ及び修正用マスタデータ１１Ｂを記憶する第１記憶部５１と、送信用マスタデータ１１Ｃの内容を修正用マスタデータ１１Ｂの内容に変更する第１変更手段と、送信用マスタデータ１１Ｂをクライアント管理装置４へ送信するためのマスタデータ送信手段５４とを備える。クライアント管理装置４は、運用マスタデータ１１Ａを記憶する第２記憶部と、運用マスタデータ１１Ａの内容をサーバ管理装置５から送信された送信用マスタデータ１１Ｃの内容に変更する第２変更手段とを備える。【選択図】  図４
2008293406.tif 000002
【特許請求の範囲】
【請求項１】
検体の分析を行う分析装置と通信可能に接続されており且つ前記分析装置を管理するクライアント管理装置と、このクライアント管理装置に通信可能に接続されたサーバ管理装置と、を備え、
前記サーバ管理装置は、
前記分析装置の管理に使用される設定情報を含み且つ前記クライアント管理装置への送信に用いられる送信用マスタデータと、前記設定情報を含み且つこの設定情報の修正に用いられる修正用マスタデータとを記憶する第１記憶部と、
前記クライアント管理装置との間で通信を行う第１通信部と、
前記送信用マスタデータの内容を修正用マスタデータの内容に変更する第１変更手段と、
前記送信用マスタデータを前記クライアント管理装置へ送信するように前記第１通信部を制御するマスタデータ送信手段と、を備え、
前記クライアント管理装置は、
前記設定情報を含み且つ分析装置の管理に使用される運用マスタデータを記憶する第２記憶部と、
前記サーバ管理装置との間で通信を行うとともに、前記第１通信部によって送信された前記送信用マスタデータを受信する第２通信部と、
前記運用マスタデータの内容を、前記第２通信部によって受信された前記送信用マスタデータの内容に変更する第２変更手段と、を備えていることを特徴とする分析装置管理システム。
【請求項２】
前記サーバ管理装置は、
前記第１記憶部に記憶されている修正用マスタデータを送信するように前記第１通信部を制御する第１修正用マスタデータ送信手段をさらに備え、
前記クライアント管理装置は、
データの入力に用いられる入力部と、
前記修正用マスタデータを修正するために、前記入力部による設定情報の入力を受け付ける受付手段と、
前記受付手段によって受け付けられたデータに基づいて、前記第２通信部によって受信された前記修正用マスタデータを修正する修正手段と、
前記修正手段によって修正された修正用マスタデータを送信するように前記第２通信部を制御する第２修正用マスタデータ送信手段とをさらに備え、
前記サーバ管理装置は、
前記第１記憶部に記憶されている修正用マスタデータの内容を、前記第１通信部によって受信された前記修正用マスタデータの内容に変更する第３変更手段をさらに備えている、請求項１記載の分析装置管理システム。
【請求項３】
前記クライアント管理装置は、
前記送信用マスタデータの変更処理を前記第１変更手段に実行させるための指示を受け付ける実行指示受付手段と、
前記実行指示受付手段によって前記送信用マスタデータの変更処理を前記第１変更手段に実行させるための指示を受け付けたときに、前記変更処理の実行を要求する変更要求データを送信するように前記第２通信部を制御する変更要求データ送信手段とをさらに備え、
前記第１変更手段は、前記第１通信部によって前記変更要求データが受信されたときに、前記変更処理を実行するように構成されている、請求項１又は２記載の分析装置管理システム。
【請求項４】
前記クライアント管理装置は、
前記分析装置の管理に用いる日付情報を保持する日付情報保持部と、
この日付情報保持部によって保持されている日付情報を変更する日付情報変更手段と、
この日付情報変更手段が前記日付情報を変更するときに、前記サーバ管理装置へ前記送信用マスタデータを要求するための送信用マスタデータ要求情報を送信するように前記第２通信部を制御する送信用マスタデータ要求情報送信手段と、をさらに備え、
前記マスタデータ送信手段は、前記第１通信部によって前記送信用マスタデータ要求情報が受信されたときに、前記クライアント管理装置へ前記送信用マスタデータを送信するように前記第１通信部を制御する、請求項１乃至３のいずれかに記載の分析装置管理システム。
【請求項５】
前記サーバ管理装置は、
前記送信用マスタデータの作成時刻を示す第１作成時刻情報を前記クライアント管理装置へ送信するように、前記第１通信部を制御する作成時刻情報送信手段をさらに備え、
前記クライアント管理装置は、
前記第２通信部によって受信された前記第１作成時刻情報と、前記運用マスタデータの作成時刻を示す第２作成時刻情報とを比較する比較手段をさらに備え、
前記送信用マスタデータ要求情報送信手段は、前記比較手段によって第１作成時刻情報と前記第２作成時刻情報とが異なる場合に、前記送信用マスタデータ要求情報を送信するように、前記第２通信部を制御する、請求項４記載の分析装置管理システム。
【請求項６】
検体の分析を行う分析装置を管理するクライアント管理装置に通信可能に接続されたサーバ管理装置であって、
前記分析装置の管理に使用される設定情報を含み且つ前記クライアント管理装置への送信に用いられる送信用マスタデータと、前記設定情報を含み且つこの設定情報の修正に用いられる修正用マスタデータとを記憶する第１記憶部と、
前記クライアント管理装置との間で通信を行う第１通信部と、
前記送信用マスタデータの内容を修正用マスタデータの内容に変更する第１変更手段と、
前記送信用マスタデータを前記クライアント管理装置へ送信するように前記第１通信部を制御するマスタデータ送信手段と、を備えていることを特徴とするサーバ管理装置。
【発明の詳細な説明】
【技術分野】
【０００１】
本発明は、血液や尿等の検体を分析する分析装置を管理する分析装置管理システム、及び、この管理システムに用いることができるサーバ管理装置に関する。
【背景技術】
【０００２】
近年、大病院等に設置されている検査室では、医師からの検査依頼の受付から分析装置による検査の実施、検査結果の報告等をコンピュータによってシステム化した管理システムが導入されつつある。
このような管理システムには、サーバコンピュータと複数台のクライアントコンピュータとからなるクライアント／サーバ型システムによって構成されたものがある（例えば、特許文献１参照）。この場合、クライアントコンピュータは、分析装置に対して検査の指示情報を送信したり、分析装置から検査結果を受信したりすることによって分析装置を管理している。一方、サーバコンピュータは、クライアントコンピュータで使用される各種データ等を格納し、必要に応じて当該データ等をクライアントコンピュータに提供する。また、サーバコンピュータは、各クライアントコンピュータから分析結果を収集し、診療側に対して検査結果の報告等を行う。
【０００３】
クライアントコンピュータには、分析装置の管理に使用される設定情報が登録された種々のマスタデータが記憶され、クライアントコンピュータは、これらのマスタデータを参照しながら分析装置の管理を行っている。例えば、マスタデータには、「検査項目マスタ」と呼ばれるものがあり、この検査項目マスタには、分析装置によって行われる検査項目名や項目コード、検査材料、結果形式等のパラメータや定義情報が互いに対応づけられた状態で登録されている。そして、クライアントコンピュータは、検査依頼に応じて検査項目マスタに登録された情報を用いて分析装置に指示を与え、また検査項目マスタに登録された情報を用いて分析装置の分析結果の加工等を行っている。
【０００４】
前記管理システムでは、分析装置による分析内容が変更されたり、新たな分析装置が追加されたりした場合にマスタデータの内容を修正する必要が生じる。また、マスタデータの修正は、全てのクライアントコンピュータのマスタデータに反映させる必要がある。従来、このようなマスタデータの修正や、各クライアントコンピュータへの修正内容の反映は、例えば次のような方法で行われていた。
まず、クライアントコンピュータとサーバコンピュータとのそれぞれにマスタデータを記憶しておき、マスタデータの修正作業を、サーバコンピュータに記憶してあるマスタデータに対して行う。また、クライアントコンピュータには、再起動時にサーバコンピュータから修正されたマスタデータを自動的にダウンロードするとともに、この修正されたマスタデータをクライアントコンピュータのマスタデータにコピーするプログラムを予め組み込んでおく。
そして、修正内容を適用する日に、全てのクライアントコンピュータを手動で再起動させ、前記プログラムによってサーバコンピュータのマスタデータに行った修正内容を全てのクライアントコンピュータのマスタデータに適用する。
【０００５】
【特許文献１】特開平１１−１４２４１１号公報
【発明の開示】
【発明が解決しようとする課題】
【０００６】
しかしながら、前述の方法には以下の問題がある。
第１に、修正されたマスタデータを適用する日を前もってオペレータに通知しておき、適用日にクライアントコンピュータを必ず再起動させる必要がある。管理システムを導入している施設には、一日の業務終了時にクライアントコンピュータの電源を落とし、次の日の業務開始時にクライアントコンピュータを起動するように運用している施設と、クライアントコンピュータの電源を落とすことなく２４時間体制で運用している施設とがある。前者の場合、クライアントコンピュータは毎日起動されるため、修正されたマスタデータを適用することができるが、後者の場合、修正されたマスタデータの適用日に必ずクライアントコンピュータを手動で再起動させるように徹底しなければならない。一部のクライアントコンピュータで再起動を忘れると、他のクライアントコンピュータとの間でマスタデータの不整合が生じ、分析装置の管理上問題となる。
【０００７】
第２に、一日の業務終了時にクライアントコンピュータの電源を落とすように運用をしている施設では、修正されたマスタデータを適用する日の前日にクライアントコンピュータを起動してから、適用日当日にクライアントコンピュータを起動するまでの約２４時間の間に、サーバコンピュータのマスタデータを修正しなければならない。そのため、マスタデータを修正するための時間が極めて制限され、特に修正量が多い場合には、作業者は多大な負担を強いられていた。
【０００８】
本発明は、上記の問題に鑑みてなされたものであり、マスタデータを修正するための作業時間の制限を少なくし、作業者に対する負担を軽減することができる分析装置管理システム及びサーバ管理装置を提供することを目的とする。また、マスタデータの修正内容を確実にクライアントコンピュータに適用させることができる分析装置管理システム及びサーバ管理装置を提供することを目的とする。
【課題を解決するための手段】
【０００９】
本発明の分析装置管理システムは、検体の分析を行う分析装置と通信可能に接続されており且つ前記分析装置を管理するクライアント管理装置と、このクライアント管理装置に通信可能に接続されたサーバ管理装置と、を備え、
前記サーバ管理装置は、前記分析装置の管理に使用される設定情報を含み且つ前記クライアント管理装置への送信に用いられる送信用マスタデータと、前記設定情報を含み且つこの設定情報の修正に用いられる修正用マスタデータとを記憶する第１記憶部と、前記クライアント管理装置との間で通信を行う第１通信部と、前記送信用マスタデータの内容を修正用マスタデータの内容に変更する第１変更手段と、前記送信用マスタデータを前記クライアント管理装置へ送信するように前記第１通信部を制御するマスタデータ送信手段と、を備え、
前記クライアント管理装置は、前記設定情報を含み且つ分析装置の管理に使用される運用マスタデータを記憶する第２記憶部と、前記サーバ管理装置との間で通信を行うとともに、前記第１通信部によって送信された前記送信用マスタデータを受信する第２通信部と、前記運用マスタデータの内容を、前記第２通信部によって受信された前記送信用マスタデータの内容に変更する第２変更手段と、を備えていることを特徴とする。
【００１０】
本発明の分析装置管理システムでは、分析装置の管理に使用される運用マスタデータを修正する必要が生じた場合、まず、サーバ管理装置の第１記憶部に記憶してある修正用マスタデータを修正する。修正が終了したのち、第１変更手段によって送信用マスタデータの内容を修正用マスタデータの内容に変更し、修正用マスタデータに行った修正内容を送信用マスタデータに適用する。そして、マスタデータ送信手段によって送信用マスタデータをクライアント管理装置へ送信し、第２変更手段により、運用マスタデータの内容を送信用マスタデータの内容に変更することによって、修正用マスタデータに行った修正内容を運用マスタデータにも適用することができる。
【００１１】
修正用マスタデータに行った修正内容は、第１変更手段によって送信用マスタデータに適用されない限り、運用マスタデータにも適用されることはない。そのため、例えば、一日のある時刻に運用マスタデータの内容を送信用マスタデータの内容に変更する運用をしている場合であっても、当該時刻を跨いで修正用マスタデータの修正を行うことが可能となる。したがって、従来のように修正内容を適用する日前の限られた時間に修正作業を行う必要がなくなり、作業者の負担を軽減することができる。
【００１２】
前記サーバ管理装置は、前記第１記憶部に記憶されている修正用マスタデータを送信するように前記第１通信部を制御する第１修正用マスタデータ送信手段をさらに備えることができ、前記クライアント管理装置は、データの入力に用いられる入力部と、前記修正用マスタデータを修正するために、前記入力部による設定情報の入力を受け付ける受付手段と、前記受付手段によって受け付けられたデータに基づいて、前記第２通信部によって受信された前記修正用マスタデータを修正する修正手段と、前記修正手段によって修正された修正用マスタデータを送信するように前記第２通信部を制御する第２修正用マスタデータ送信手段とをさらに備えることができる。また、この場合、前記サーバ管理装置は、前記第１記憶部に記憶されている修正用マスタデータの内容を、前記第１通信部によって受信された前記修正用マスタデータの内容に変更する第３変更手段をさらに備えることができる。
【００１３】
前記クライアント管理装置は、前記送信用マスタデータの変更処理を前記第１変更手段に実行させるための指示を受け付ける実行指示受付手段と、前記実行指示受付手段によって前記送信用マスタデータの変更処理を前記第１変更手段に実行させるため指示を受け付けたときに、前記変更処理の実行を要求する変更要求データを送信するように前記第２通信部を制御する変更要求データ送信手段とをさらに備え、
前記第１変更手段は、前記第１通信部によって前記変更要求データが受信されたときに、前記変更処理を実行するように構成することができる。これにより、運用マスタデータへの修正内容の適用日に応じて、修正用マスタデータの修正内容を送信用マスタデータに適用することができる。
【００１４】
前記クライアント管理装置は、前記分析装置の管理に用いる日付情報を保持する日付情報保持部と、この日付情報保持部によって保持されている日付情報を変更する日付情報変更手段と、この日付情報変更手段が前記日付情報を変更するときに、前記サーバ管理装置へ前記送信用マスタデータを要求するための送信用マスタデータ要求情報を送信するように前記第２通信部を制御する送信用マスタデータ要求情報送信手段と、をさらに備えることができる。この場合、前記マスタデータ送信手段は、前記第１通信部によって前記送信用マスタデータ要求情報が受信されたときに、前記クライアント管理装置へ前記送信用マスタデータを送信するように前記第１通信部を制御することができる。
【００１５】
このような構成によって、クライアント管理装置が分析装置の管理に用いる日付（管理システム上の日付）を変更するタイミングに合わせて、運用マスタデータの内容を送信用マスタデータの内容に変更することができる。したがって、従来のように、クライアント管理装置を手動で再起動させるといった操作をオペレータに要求することが無く、確実に修正内容を運用マスタデータに適用することができる。
【００１６】
前記サーバ管理装置は、前記送信用マスタデータの作成時刻を示す第１作成時刻情報を前記クライアント管理装置へ送信するように、前記第１通信部を制御する作成時刻情報送信手段をさらに備えることができ、前記クライアント管理装置は、前記第２通信部によって受信された前記第１作成時刻情報と、前記運用マスタデータの作成時刻を示す第２作成時刻情報とを比較する比較手段をさらに備えることができる。この場合、前記送信用マスタデータ要求情報送信手段は、前記比較手段によって第１作成時刻情報と前記第２作成時刻情報とが異なる場合に、前記送信用マスタデータ要求情報を送信するように、前記第２通信部を制御することができる。
【００１７】
この構成によれば、送信用マスタデータの第１作成時刻情報と、運用マスタデータの第２作成時刻情報とを比較手段によって比較し、例えば前者の方が新しい場合のみ、送信用マスタデータをクライアント管理装置に送信し、第２変更手段により運用マスタデータの内容を送信用マスタの内容に変更することができる。これにより、不要な送信用マスタデータの送受信をなくし、管理システムへの負荷を軽減することができる。
【００１８】
また、本発明のサーバ管理装置は、検体の分析を行う分析装置を管理するクライアント管理装置に通信可能に接続されたサーバ管理装置であって、
前記分析装置の管理に使用される設定情報を含み且つ前記クライアント管理装置への送信に用いられる送信用マスタデータと、前記設定情報を含み且つこの設定情報の修正に用いられる修正用マスタデータとを記憶する第１記憶部と、前記クライアント管理装置との間で通信を行う第１通信部と、前記送信用マスタデータの内容を修正用マスタデータの内容に変更する第１変更手段と、前記送信用マスタデータを前記クライアント管理装置へ送信するように前記第１通信部を制御するマスタデータ送信手段と、を備えていることを特徴とする。
【発明の効果】
【００１９】
本発明によれば、マスタデータを修正するための作業時間の制限を少なくし、作業者に対する負担を軽減することができる。また、修正用マスタデータの修正内容を確実にクライアントコンピュータの運用マスタデータに適用することができる。
【発明を実施するための最良の形態】
【００２０】
図１は、本発明の一実施の形態に係る分析装置管理システムを含む分析システムの構成を示す図である。以下、この図１を参照しつつ分析システム１の概要について説明する。
【００２１】
〔分析システムの概要〕
本実施の形態の分析システム１は、病院の検査室等に設置され、検体の分析を行う分析装置３と、分析装置３を管理する分析装置管理システム２（以下、単に「管理システム」という）とを備えている。管理システム２は、サーバ管理装置５とクライアント管理装置４とを備えたクライアント／サーバ型システムであり、図に示す例では、１台のサーバ管理装置５と複数台（３台）のクライアント管理装置４とが通信回線７を介してデータ通信可能に接続されている。
【００２２】
各クライアント管理装置４には、複数の分析装置３が接続されている。分析装置３としては、例えば、血球分析装置、尿中成分分析装置、免疫分析装置、生化学分析装置等の様々な種類の分析装置を用いることができる。そして、例えば、あるクライアント管理装置４には、血液を検体とする検査を行うための複数の分析装置３が接続され、あるクライアント管理装置４には、尿を検体とする検査を行うための複数の分析装置３が接続される、というように、１つのクライアント装置４に、同一の検体を用いる複数の分析装置３が接続されている。
また、クライアント管理装置４には、検体を収容する採取管に貼付される採取ラベルを印刷するラベルプリンタ（印刷装置）６が接続されている。
【００２３】
前記管理システム２は、病院のオーダリングシステム８と通信回線７を介して接続されている。医師は、患者に検査が必要であると判断すると、このオーダリングシステム８の端末に検査依頼（オーダ）を入力する。入力されたオーダは、オーダリングシステム８のホストコンピュータ９に登録される。管理システム２は、ホストコンピュータ９に登録されたオーダを受け付け、このオーダに基づいて分析装置３に指示を与え、検査を実行させる。さらに、管理システム２は、分析装置３により得られた分析結果を所定の形式に整え、オーダリングシステム８のホストコンピュータ９に登録することにより報告する機能を有する。
【００２４】
〔クライアント管理装置のハードウェア構成〕
クライアント管理装置４は、図２に示すように、制御部４ａと、表示部４ｂと、キーボード４ｃとを含むコンピュータ４０１によって構成されている。制御部４ａは、ＣＰＵ４０１ａと、ＲＯＭ４０１ｂ、ＲＡＭ４０１ｃ及びハードディスク４０１ｄからなる記憶装置と、読出装置４０１ｅと、入出力インタフェース４０１ｆと、通信インタフェース４０１ｇと、画像出力インタフェース４０１ｈとから主として構成されている。ＣＰＵ４０１ａ、ＲＯＭ４０１ｂ、ＲＡＭ４０１ｃ、ハードディスク４０１ｄ、読出装置４０１ｅ、入出力インタフェース４０１ｆ、通信インタフェース４０１ｇ、及び画像出力インタフェース４０１ｈは、バス４０１ｉによって接続されている。
【００２５】
ＣＰＵ４０１ａは、ＲＯＭ４０１ｂに記憶されているコンピュータプログラム及びＲＡＭ４０１ｃにロードされたコンピュータプログラムを実行することが可能である。そして、ハードディスク４０１ｄにインストールされたアプリケーションプログラム４０４ａをＣＰＵ４０１ａが実行することにより、コンピュータ４０１がクライアント管理装置４として機能する。
ＲＯＭ４０１ｂは、マスクＲＯＭ、ＰＲＯＭ、ＥＰＲＯＭ、ＥＥＰＲＯＭなどによって構成されており、ＣＰＵ４０１ａに実行されるコンピュータプログラム及びこれに用いるデータなどが記録されている。
【００２６】
ＲＡＭ４０１ｃは、ＳＲＡＭ又はＤＲＡＭなどによって構成されている。ＲＡＭ４０１ｃは、ＲＯＭ４０１ｂ及びハードディスク４０１ｄに記録されているコンピュータプログラムの読み出しに用いられる。また、これらのコンピュータプログラムを実行するときに、ＣＰＵ４０１ａの作業領域として利用される。
ハードディスク４０１ｄは、オペレーティングシステム及びアプリケーションプログラムなど、ＣＰＵ４０１ａに実行させるための種々のコンピュータプログラム及びそのコンピュータプログラムの実行に用いられるデータがインストールされている。本実施の形態では、分析装置３の管理に用いられるアプリケーションプログラム（管理プログラム）４０４ａがこのハードディスク４０１ｄにインストールされている。また、ハードディスク４０１ｄには、分析装置３の管理に使用する各種設定情報を登録した種々のマスタデータ１１Ａが記憶されている。このアプリケーションプログラム４０４ａによって実現されるクライアント管理装置４の機能やマスタデータ１１Ａの詳細については後述する。
【００２７】
読出装置４０１ｅは、フレキシブルディスクドライブ、ＣＤ−ＲＯＭドライブ、又はＤＶＤ−ＲＯＭドライブなどによって構成されており、可搬型記録媒体４０４に記録されたコンピュータプログラム又はデータを読み出すことができる。また、可搬型記録媒体４０４には、アプリケーションプログラム４０４ａが格納されており、コンピュータ４０１がその可搬型記録媒体４０４からアプリケーションプログラム４０４ａを読み出し、そのアプリケーションプログラム４０４ａをハードディスク４０１ｄにインストールすることが可能である。
【００２８】
なお、前記アプリケーションプログラム４０４ａは、可搬型記録媒体４０４によって提供されるのみならず、電気通信回線（有線、無線を問わない）によってコンピュータ４０１と通信可能に接続された外部の機器から前記電気通信回線を通じて提供することも可能である。例えば、前記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００２９】
また、ハードディスク４０１ｄには、例えば、米マイクロソフト社が製造販売するＷｉｎｄｏｗｓ（登録商標）などのオペレーティングシステムがインストールされている。以下の説明においては、アプリケーションプログラム４０４ａは前記オペレーティングシステム上で動作するものとしている。
入出力インタフェース４０１ｆは、例えば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、及びＤ／Ａ変換器、Ａ／Ｄ変換器などからなるアナログインタフェースなどから構成されている。入出力インタフェース４０１ｆには、コンピュータ４０１へのデータ入力を可能にするキーボード（入力部）４ｃが接続されている。また、入出力インタフェース４０１ｆのうち例えばパラレルインタフェースには、コンピュータ４０１の処理結果を出力するプリンタ（ラベルプリンタ）６が接続され、シリアルインタフェースには、分析システム１を構成する各分析装置３が接続されている。
【００３０】
通信インタフェース４０１ｇは、例えば、Ｅｔｈｅｒｎｅｔ（登録商標）インタフェースである。コンピュータ４０１は、その通信インタフェース４０１ｇにより、ＴＣＰ／ＩＰプロトコル等の所定の通信プロトコルを使用して他のコンピュータ（サーバ管理装置５やホストコンピュータ９）との間でデータの送受信が可能である。なお、この通信インタフェース４０１ｇを介して分析装置３を接続することも可能である。
画像出力インタフェース４０１ｈは、ＬＣＤ又はＣＲＴなどで構成された表示部４ｂに接続されており、ＣＰＵ４０１ａから与えられた画像データに応じた映像信号を表示部４ｂに出力するようになっている。表示部４ｂは、入力された映像信号にしたがって、画像（画面）を表示する。
【００３１】
〔サーバ管理装置のハードウェア構成〕
サーバ管理装置５は、図３に示すように、クライアント管理装置４と同様の構成を備えたコンピュータ５０１によって構成されている。すなわち、サーバ管理装置５は、制御部５ａと、表示部５ｂと、キーボード５ｃとを含むコンピュータ５０１によって構成されている。制御部５ａは、ＣＰＵ５０１ａと、ＲＯＭ５０１ｂ、ＲＡＭ５０１ｃ及びハードディスク５０１ｄからなる記憶装置と、読出装置５０１ｅと、入出力インタフェース５０１ｆと、通信インタフェース５０１ｇと、画像出力インタフェース５０１ｈとから主として構成され、これらは、バス５０１ｉによって接続されている。
【００３２】
ハードディスク５０１ｄは、オペレーティングシステム及びアプリケーションプログラムなど、ＣＰＵ４０１ａに実行させるための種々のコンピュータプログラム及びそのコンピュータプログラムの実行に用いるデータがインストールされている。本実施の形態では、分析装置３の管理に用いるアプリケーションプログラム（管理プログラム）５０４ａがこのハードディスク５０１ｄにインストールされている。また、ハードディスク５０１ｄには、分析装置３の管理に使用する各種設定情報を登録した種々のマスタデータ１１Ｂ，１１Ｃが記憶されている。
【００３３】
画像出力インタフェース５０１ｈには、クライアント管理装置４と同様にＬＣＤ又はＣＲＴ等の表示部５ｂが接続され、入出力インタフェース５０１ｆには、キーボード（入力部）５ｃが接続されている。ただし、サーバ管理装置５の入出力インタフェース５０１ｆには、クライアント管理装置４のようにラベルプリンタ６や分析装置３は接続されていない。
【００３４】
通信インタフェース５０１ｇは、例えば、Ｅｔｈｅｒｎｅｔ（登録商標）インタフェースである。コンピュータ５０１は、その通信インタフェース５０１ｇにより、ＴＣＰ／ＩＰプロトコル等の所定の通信プロトコルを使用して他のコンピュータ（クライアント管理装置４やホストコンピュータ９）との間でデータの送受信が可能である。
制御部５ａを構成する各要素のその他の詳細な構造やその基本的な機能は、前記クライアント管理装置４と同様であるため、詳細な説明は省略する。
【００３５】
〔マスタデータの内容〕
図２及び図３に示すように、マスタデータ１１Ａ〜１１Ｃは、分析装置３の管理に使用する設定情報、例えば、検査に関する各種パラメータ、定義情報、分析装置３への指示情報等の様々な情報が登録されている。このマスタデータ１１Ａ〜１１Ｃとしては、例えば、検査項目についての情報が登録された「検査項目マスタ」や、検査に使用する採取管に関する情報が登録された「採取管マスタ」、検査に必要な検体量に関する情報が登録された「検体量マスタ」等がある。
【００３６】
検査項目マスタには、分析システム１の各分析装置３によって行われる全ての検査項目について、検査項目名（例えば、ＧＯＴ、ＧＰＴ、ＷＢＣ等）や検査項目に対応した項目コード、検査材料名（血清、全血等）、分析結果の形式（数値データの有効桁数等）、使用する採取管のコード（容器コード）、検査に必要な検体量（検体量コード）等の各種データが互いに対応づけられた状態で登録されている。採取管マスタは、検査項目マスタに登録された容器コードに対応する採取管の種類（容量）、最低容量等が登録されている。検体量マスタは、検査項目マスタに登録されている検体量コードに対応する検体量が登録されている。
【００３７】
〔クライアント管理装置及びサーバ管理装置の機能構成〕
図４は、サーバ管理装置５及びクライアント管理装置４の制御部５ａ，４ａによって実現される機能を示す構成図である。サーバ管理装置５及びクライアント管理装置４は、ハードディスク５０１ｄ，４０１ｄにインストールされたアプリケーションプログラム（管理プログラム）５０４ａ，４０４ａや各種データによって、図４に示す機能を発揮する。
【００３８】
サーバ管理装置５の制御部５ａは、マスタデータ１１Ｂ，１１Ｃを記憶する第１記憶部５１を有し、クライアント管理装置４の制御部４ａは、マスタデータ１１Ａを記憶する第２記憶部４１を有している。この第１，第２記憶部５１，４１は、ハードディスク５０１ｄ，４０１ｄ等の記憶装置の一機能として構成される。
クライアント管理装置４の第２記憶部４１に記憶されているマスタデータ１１Ａは、実際に分析装置３の管理に使用されるマスタデータ（以下、「運用マスタデータ」という）１１Ａである。一方、サーバ管理装置５の第１記憶部５１に記憶されているマスタデータ１１Ｂ，１１Ｃは、実際の分析装置３の管理に直接使用されるものではなく、設定情報の内容を修正するために用いられる修正用マスタデータ１１Ｂと、クライアント管理装置４へ送信するために用いられる送信用マスタデータ１１Ｃとからなる。
【００３９】
分析装置３の検査内容に変更があった場合や、分析システム１に新たな分析装置３が加わった場合等には、それに応じてクライアント管理装置４の運用マスタデータ１１Ａの内容も変更する必要がある。本実施の形態では、まず、サーバ管理装置５の第１記憶部５１に記憶してある修正用マスタデータ１１Ｂの内容を修正し、その後、その修正内容を送信用マスタデータ１１Ｃ及び運用マスタデータ１１Ａに適用させるようになっている。そのため、クライアント管理装置４の制御部４ａは、修正用マスタデータ１１Ｂの内容を修正する修正手段４４を有している。
【００４０】
さらに、サーバ管理装置５の制御部５ａは、送信用マスタデータ１１Ｃの内容を修正用マスタデータ１１Ｂの内容に変更する第１変更手段５３を有している。この第１変更手段５３により、修正用マスタデータ１１Ｂに行った修正内容が送信用マスタデータ１１Ｃにも適用される。
また、サーバ管理装置５の制御部５ａは、送信用マスタデータ１１Ｃをクライアント管理装置４に送信するように第１通信部５２を制御するマスタデータ送信手段５４を有し、クライアント管理装置４の制御部４ａは、運用マスタデータ１１の内容を、サーバ管理装置５から送信された送信用マスタデータ１１Ｃの内容に変更する第２変更手段４３を有している。この第２変更手段４３によって、修正用マスタデータ１１Ｂに行った修正内容が運用マスタデータ１１Ａにも適用される。
【００４１】
なお、サーバ管理装置５の第１通信部５２やクライアント管理装置４の第２通信部４２は、通信回線７を介して互いに通信を行うものであり、図２及び図３に示す通信インタフェース５０１ｇ，４０１ｇにより構成される。
【００４２】
その他の機能構成として、クライアント管理装置４は、修正手段４４による修正内容の入力を受け付ける受付手段８１、修正後の修正用マスタデータ１１Ｂをサーバ管理装置３へ送信するように第２通信部４２を制御する第２修正用マスタデータ送信手段８２、第１変更手段５３の実行指示を受け付ける実行指示受付手段４５、この実行指示に基づき第１変更手段５３の実行を要求するための変更要求データをサーバ管理装置５へ送信するように第２通信部４２を制御する変更要求データ送信手段８３、管理システム２上の日付情報を保持する日付情報保持部４６、この日付情報を変更する日付情報変更手段４７、サーバ管理装置５へ送信用マスタデータ１１Ｃの送信を要求する情報を送信するように第２通信部４２を制御する送信用マスタデータ要求情報送信手段４８、及び、送信用マスタデータ１１Ｃの作成時刻と運用マスタデータ１１Ａの作成時刻とを比較する比較手段４９等を備えている。また、サーバ管理装置５は、修正用マスタデータ１１Ｂの修正のために当該修正用マスタデータ１１Ｂをクライアント管理装置４へ送信するように第１通信部４１を制御する第１修正用マスタデータ送信手段５６、第１記憶部４１に記憶してある修正用マスタデータ１１Ｂの内容をクライアント管理装置４から受信した修正後の修正用マスタデータ１１Ｂの内容に変更する第３変更手段５７、及び、送信用マスタデータ１１Ｃの作成時刻についての情報をクライアント管理装置４に送信するように第１通信部５２を制御する作成時刻情報送信手段５５等を備えている。
サーバ管理装置５及びクライアント管理装置４の各機能構成の詳細については、次に述べる分析システム１の処理手順とともに説明する。
【００４３】
〔分析システムの処理手順〕
以下、本実施の形態の分析システム１（主としてサーバ管理装置５及びクライアント管理装置４）の処理手順について図５〜図８を参照しつつ説明する。
なお、この処理手順は、概ね「１．修正用マスタデータ１１Ｂの修正に関する処理」、「２．分析に関する処理」、「３．運用マスタデータ１１Ａへの修正内容の適用に関する処理」の流れで進む。
【００４４】
（１．修正用マスタデータの修正に関する処理）
図５に示すように、サーバ管理装置５及びクライアント管理装置４は、まず、ステップＳ１、Ｓ１０１において初期化される。この初期化動作では、例えばハードディスク４０１ｄ、５０１ｄにインストールしてあるアプリケーションプログラム４０４ａ，５０４ａ等の初期化が行われる。
【００４５】
分析装置３の検査内容に変更があった場合や、分析システム１に新たな分析装置３が加わった場合、クライアント管理装置４の制御部４ａは、修正手段４４の機能により修正用マスタデータ１１Ｂの修正を行う。具体的に、クライアント管理装置４のハードディスク４０１ｄには修正用プログラムがインストールされており、この修正用プログラムを実行することによって、クライアント管理装置４の制御部４ａが修正手段４４として機能する。
【００４６】
図５のステップＳ１０２において、クライアント管理装置４の制御部４ａは、修正用プログラムの起動（修正用マスタデータ１１Ｂの修正入力画面表示指示）を受け付けたか否かを判断し、受け付けた場合にはステップＳ１０３に処理を進め、受け付けなかった場合にはステップＳ１１１に処理を進める。ステップＳ１０３において、クライアント管理装置４の制御部４ａは、サーバ管理装置５に修正用マスタデータ１１Ｂの送信を要求する。サーバ管理装置５の制御部５ａは、当該要求を受け付けると（ステップＳ２）、第１修正用マスタデータ送信手段５６（図４）の機能によりクライアント管理装置４へ修正用マスタデータ１１Ｂを送信する（ステップＳ３）。
【００４７】
クライアント管理装置４の制御部４ａは、サーバ管理装置５から送信された修正用マスタデータ１１Ｂを受信すると（ステップＳ１０４）、当該修正用マスタデータ１１ＢをＲＡＭ４０１ｃ等の記憶装置に展開（記憶）し、その後、図９に示すような修正用マスタデータ１１Ｂの修正を入力するための修正入力画面Ｗ１を表示部４ｂに表示する（ステップＳ１０５，Ｓ１０６）。
図９には、修正用マスタデータ１１Ｂのうち、検査項目マスタ用の修正入力画面Ｗ１が示されている。この修正入力画面Ｗ１には、最上位に、検査項目コードの入力枠６１が表示され、その下側に、基本情報入力部６２と、補助情報選択部６３と、補助情報入力部６４と、指示受付部６５とが表示されている。
【００４８】
基本情報入力部６２には、入力枠６１に表示されている項目コードに対応する「項目名」（例として“Ｎａ”（ナトリウム）と表示）、「項目名略称」、「部門（検査）」コード、「材料」コード、「グループコード」、「結果形式」等の検査の基本情報に関する複数の入力枠が設けられている。
補助情報選択部６３には、「拡張・ラベル情報」、「結果チェック情報」、「子項目・請求情報」、「変換コード・カストマイズ情報」のいずれかを選択するためのボタンが並べて表示されている。そして、いずれかのボタンを選択すると、そのボタンに対応する補助情報の入力枠が、下側の補助情報入力部６４に表示される。図例では、補助情報入力部６４に、拡張情報・ラベル情報に関する入力枠が示されている。
指示受付部６５には、「ＥＳＣ：終了」、「画面クリア」、「削除」、「登録」、「印刷」等の各種指示機能を選択するための複数のボタンが並べて表示されている。
【００４９】
検査技師等のオペレータは、クライアント管理装置４のキーボード（入力部）４ｃを用いて修正入力画面Ｗ１に修正内容を入力することができる。そして、入力を終了したのち指示選択部６５の「登録」ボタン６５ａを選択することによって、修正内容をサーバ管理装置４の第１記憶部５１に記憶してある修正用マスタデータ１１Ｂに反映することができる。
具体的に、クライアント管理装置４の制御部４ａは、図５のステップＳ１０７において、受付手段８１（図４）の機能により入力部４ｃからの修正内容の入力を受け付けて、修正手段４４の機能により修正用マスタデータ１１Ｂを修正し、さらにステップＳ１０８において修正内容の登録の指示（「登録」ボタン６５ａの選択）を受け付けると、第２修正用マスタデータ送信手段８２の機能により修正後の修正用マスタデータ１１Ｂをサーバ管理装置５に送信する（ステップＳ１０９）。そして、サーバ管理装置５の制御部５ａは、修正後の修正用マスタデータ１１Ｂを受信すると（ステップＳ４）、第３変更手段５７の機能により、その修正用マスタデータ１１Ｂを第１記憶部５１に記憶することによって内容を更新する（ステップＳ５）。
【００５０】
なお、ステップＳ１０７及びＳ１０８において、修正内容の入力及び登録指示を受け付けなかった場合、クライアント管理装置４の制御部４ａは、ステップＳ１１０において修正用マスタデータ１１Ｂの修正処理がキャンセルされたか否かを判断し、さらにキャンセルされた場合にはステップＳ１１１に処理を進め、キャンセルされなかった場合にはステップＳ１０７に処理を戻す。
【００５１】
前記ステップＳ５の処理により、修正された修正用マスタデータ１１Ｂが第１記憶部５１に記憶されると、当該修正用マスタデータ１１Ｂの内容と送信用マスタデータ１１Ｃの内容とは異なった状態になる。サーバ管理装置５の制御部５ａは、第１変更手段５３（図４）の機能により、送信用マスタデータ１１Ｃの内容を修正用マスタデータ１１Ｂの内容に変更することで、修正用マスタデータ１１Ｂの修正内容を送信用マスタデータ１１Ｃに適用することができる。一方、クライアント管理装置４の制御部４ａは、実行指示受付手段４５及び変更要求データ送信手段８３（図４）の機能により、第１変更手段５３を実行させるための指示をサーバ管理装置５に与えることができる。
【００５２】
具体的に、クライアント管理装置４のハードディスク４０１ｄには、第１変更手段５３を実行させるための指示を受け付ける指示受付プログラムがインストールされている。そして、クライアント管理装置４の制御部４ａは、この指示受付プログラムの起動（修正用マスタデータ１１Ｂの適用画面表示指示）を受け付けると（図５のステップＳ１１１）、図１０に示すような修正用マスタデータ１１Ｂの適用画面Ｗ２を表示部４ｂに表示する（ステップＳ１１２）。
【００５３】
この適用画面Ｗ２の上部には、状況表示部７１が表示され、ここにクライアント管理装置４及びサーバ管理装置５の処理状況等が表示される。適用画面Ｗ２の最下部には、指示選択部７４が表示されており、この指示選択部７４には、「ＥＳＣ：終了」、「中断」、「実行」、「印刷」、「有効化」の各種指示機能を選択するための複数のボタンが並べて表示されている。
【００５４】
クライアント管理装置４のオペレータが、指示選択部７４の「有効化」ボタン７４ａを選択すると、クライアント管理装置４の制御部４ａは、修正用マスタデータ１１Ｂの適用指示を受け付け（図５のステップＳ１１３）、サーバ管理装置５に、修正用マスタデータ１１Ｂの適用を指示するための情報（適用指示データ；変更要求データ）を送信する（ステップＳ１１４）。サーバ管理装置５の制御部５ａは、当該情報を受信すると（ステップＳ６）、第１記憶部５１に記憶してある修正後の修正用マスタデータ１１Ｂを送信用マスタデータ１１Ｃにコピーする。これによって、修正用マスタデータ１１Ｂの修正内容が送信用マスタデータ１１Ｃに適用され、両者の内容が同一となる。
【００５５】
なお、図１０に示す適用画面Ｗ２には、「未使用マスタチェック」を行うか否かのチェックボックス７２が設けられている。この未使用マスタチェックは、修正用マスタデータの修正内容に、現在マスタデータとして使用されていない内容が含まれるかどうかをチェックする機能であり、未使用マスタチェックのチェックボックス７２を選択し、指示選択部の「実行」ボタン７４ｂを選択すると、画面Ｗ２内のマスタ名表示部７３に表示された各マスタデータについて、同機能が実行される。これにより、修正用マスタデータ１１Ｂの修正内容に誤りがないかどうかを確認することができる。
【００５６】
図５のステップＳ１１１において、クライアント管理装置４の制御部４ａは、修正用マスタデータ１１Ｂの適用画面表示の指示を受け付けなかった場合に、図６のステップＳ１１６に処理を進め、次に説明する分析に関する処理を行う。また、図５のステップＳ１１３において、適用指示を受け付けなかった場合、クライアント管理装置４の制御部４ａは、ステップＳ１１５において適用指示の受付処理がキャンセルされた否かを判断し、キャンセルされなかった場合には処理をステップＳ１１３に戻し、キャンセルされた場合には、図６のステップＳ１１６に処理を進め、次の分析に関する処理を行う。
このように、修正用マスタデータ１１Ｂに行った修正内容を送信用マスタデータ１１Ｃに適用しない場合、後で詳述する日替わり処理の際に、運用マスタデータ１１Ａにも修正内容は適用されなくなる。したがって、この場合は、修正用マスタデータ１１Ｂのみを修正した状態が維持されることになる。
【００５７】
（２．分析に関する処理）
次に、クライアント管理装置４の制御部４ａは、図６に示すように、オーダリングシステム８のホストコンピュータ９（図１）に登録されたオーダ（検査依頼）を受信したかどうかを判断し（ステップＳ１１６）、受信した場合にはステップＳ１１７に処理を進め、受信しなかった場合にはステップＳ１１９に処理を進める。このオーダには、１又は複数の検査依頼項目や患者ＩＤ、検体番号等の情報が含まれる。
クライアント管理装置４の制御部４ａは、ステップＳ１１７において、オーダの検査依頼項目に対応する情報を検査項目マスタ（運用マスタデータ１１Ａ）から取得し、分析装置３が認識することができる形式にオーダを加工する。例えば、オーダに記載されている検査項目名と、分析装置３が認識できる検査項目名とが異なる場合には、検査項目マスタを参照することによって、オーダの検査項目名を分析装置３が認識できる検査項目名に変換する処理を行う。
【００５８】
そして、ステップＳ１１８において、クライアント管理装置４の制御部４ａは、加工後のオーダをサーバ管理装置５に送信する。サーバ管理装置５の制御部５ａは、加工後のオーダを受信すると、当該オーダを記憶装置に記憶する（ステップＳ８，Ｓ９）。
【００５９】
検査室では、オーダに従って患者から採取された検体を収容する採取管が所定の分析装置３にセッティングされ、当該分析装置３によって検査が開始される。分析装置３は、採取管に貼り付けられた採取ラベルのバーコードを読み取ることで、その採取管の検体番号を認識し、その検体番号に対するオーダ（どのような検査を行うかの情報）をクライアント管理装置４に問い合わせる。
クライアント管理装置４の制御部４ａは、図６のステップＳ１１９において分析装置３からオーダの問い合わせを受け付けたか否かを判断し、受け付けた場合にはステップＳ１２０に処理を進め、受け付けなかった場合はステップＳ１２２に処理を進める。ステップＳ１２０において、クライアント管理装置４の制御部４ａは、検体番号をキーとしてサーバ管理装置５にオーダを要求する。
【００６０】
サーバ管理装置５の制御部５ａは、クライアント管理装置４からのオーダの要求を受信すると（ステップＳ１０）、オーダ検索処理を行う（ステップＳ１１）。一方、クライアント管理装置４の制御部４ａは、オーダ検索処理で得られたオーダの確認処理を行う（ステップＳ１２１）。
これらの処理について図７を参照しつつ説明する。まず、サーバ管理装置５の制御部５ａは、クライアント管理装置４から送信された検体番号をキーにオーダを検索し（ステップＳ３１）、該当するオーダが記憶装置（ハードディスク５０１ｄ）に記憶されているか否かを判断する（ステップＳ３２）。当該オーダが記憶装置に存在する場合には、そのオーダをクライアント管理装置４に送信し（ステップＳ３３）、当該オーダが記憶装置に存在しない場合は、クライアント管理装置４にエラー情報を送信する（ステップＳ３４）。
【００６１】
クライアント管理装置４の制御部４ａは、サーバ管理装置５から送信されたオーダの情報又はエラー情報を受信したかどうかを判断し（ステップＳ１３１）、受信した情報がオーダである場合には、そのオーダを分析装置３へ送信する（ステップＳ１３３）。受信した情報がエラー情報である場合、クライアント管理装置４の制御部４ａは、分析装置３へエラー情報を送信し（ステップＳ１３４）、処理をリターンする。
【００６２】
分析装置３は、クライアント管理装置４からオーダを受信すると、そのオーダに従い、検体に対して所定の検査を行う。検査が終了すると、分析装置３は、クライアント管理装置４に対して分析結果を送信する。
クライアント管理装置４の制御部４ａは、図６のステップＳ１２２において、分析装置３からの分析結果を受信すると、その分析結果を、検査項目マスタ（運用マスタデータ１１Ａ）に従って加工する（ステップＳ１２３）。例えば、検査項目マスタには、分析結果の形式として数値データの有効桁数が定義されており、クライアント管理装置４の制御部４ａは、定義された有効桁数に収まるように分析結果の整形を行う。
【００６３】
クライアント管理装置４の制御部４ａは、加工後の分析結果をサーバ管理装置５に送信する（ステップＳ１２４）。サーバ管理装置５の制御部５ａは、当該分析結果を受信すると（ステップＳ１２）、当該分析結果を記憶装置に記憶し（ステップＳ１３）、その記憶した分析結果をオーダリングシステム８のホストコンピュータ９に送信する（ステップＳ１４）。
【００６４】
（３．運用マスタデータへの修正内容の適用に関する処理）
クライアント管理装置４及びサーバ管理装置５は、１日の検査業務が終了すると、管理システム２上の日付を変更する「日替わり処理」と呼ばれる処理を行う。この日替わり処理は、次のような理由で行われる。
検体検査は、通常、患者から採取した検体を受け付けた日に行われるが、夕方や夜遅くに受け付けられた検体は、現実の日付が変わってしまったあと（午前０時を過ぎたあと）に検査が行われる場合がある。このような場合、現実の日付に合わせて管理システム２上の日付も変わると、検体を受け付けた日と検査を行った日とが異なってしまい、管理が煩雑となる。そのため、管理システム２上の日付は、現実の日付とは異なり、その日の検査業務が終了した後にシステム全体で変更することにしている。このような変更を日替わり処理という。
【００６５】
従って、図１１に例示するように、管理システム２上の日付（例えば６月１日）は、現実の日付の所定時刻（例えば午前３時）に日替わり処理によって切り替えられ、さらに次の日の同時刻に日付が切り替えられるまでの間が一業務日とされる。そのため、例えば現実の６月１日の夕方頃に受け付けられた検体が、現実の６月２日の０時を過ぎてから検査されたとしても、その検査は６月１日の業務として取り扱われることになる。
【００６６】
本実施の形態では、以上のような日替わり処理を行うタイミングを利用して、サーバ管理装置５の第１記憶部５１に記憶してある送信用マスタデータ１１Ｃと、クライアント管理装置４の第２記憶部４１に記憶してある運用マスタデータ１１Ａとを同期させる処理を行う。
【００６７】
図６に示すように、サーバ管理装置５の制御部５ａは、所定の日付変更時刻（日替わり処理を行う時刻）になったか否かを判断し（ステップＳ１５）、当該時刻になると、日替わり処理の開始を告げる情報（開始データ）をクライアント管理装置４に送信し、その後日替わり処理を行う（ステップＳ１６，Ｓ１７）。クライアント管理装置４の制御部４ａは、サーバ管理装置５から当該開始データを受信することによって日替わり処理を行う（ステップＳ１２５，Ｓ１２６）。
【００６８】
図８は、サーバ管理装置５及びクライアント管理装置４の日替わり処理の手順を示すフローチャートである。クライアント管理装置４の制御部４ａは、ステップＳ１４１において全ての操作の受け付けを停止する。一方、サーバ管理装置５の制御部５ａは、ステップＳ４１において、日替わり処理に係る日付データをクライアント管理装置４へ送信する。
クライアント管理装置４の制御部４ａは、管理システム２上の日付情報を保持する日付情報保持部４６と、この日付情報を変更する日付情報変更手段４７とを有しており（図４）、サーバ管理装置５から日替わり処理に係る日付データを受信すると、この日付データに基づいて日付情報保持部４６で保持している日付情報を日付情報変更手段４７によって変更する（ステップＳ１４２，Ｓ１４３）。
【００６９】
サーバ管理装置５の制御部５ａは、図８のステップＳ４２において、当日検査予定であったが検査が行われなかったオーダを記憶装置のなかから検索する。そして、このようなオーダが見つかると、当該オーダを翌日の検査対象に変更する（ステップＳ４３，Ｓ４４）。前記検索が終了すると、サーバ管理装置５の制御部５ａは、日替わり処理が終了したことを告げるデータ（終了データ）をクライアント管理装置４へ送信する（ステップＳ４５，Ｓ４６）。クライアント管理装置４の制御部４ａは、当該終了データを受信すると、クライアント管理装置４に対する操作の受け付けを再開する（ステップＳ１４４，Ｓ１４５）。
【００７０】
以上の手順でサーバ管理装置５及びクライアント管理装置４の日替わり処理が終了すると、次に、サーバ管理装置５の第１記憶部５１に記憶してある送信用マスタデータ１１Ｃと、クライアント管理装置４の第２記憶部４１に記憶してある運用マスタデータ１１Ａとを同期させる処理を行う。
まず、クライアント管理装置４の制御部４ａは、ステップＳ１４６において、送信用マスタデータ１１Ｃの作成時刻情報を要求する旨のデータ（要求データ）をサーバ管理装置５へ送信する。
【００７１】
サーバ管理装置５の制御部５ａは、当該要求データを受信すると（ステップＳ４７）、作成時刻情報送信手段５５（図４）の機能によって、送信用マスタデータ１１Ｃの作成時刻情報をＲＡＭ５０１ｃへ読み出し、クライアント管理装置４へ送信する（ステップＳ４８，Ｓ４９）。
クライアント管理装置４の制御部４ａは、ステップＳ１４７において、サーバ管理装置５から送信用マスタデータ１１Ｃの作成時刻情報を受信すると、比較手段４９（図４）の機能によって、運用マスタデータ１１Ａの作成時刻と、送信用マスタデータ１１Ｃの作成時刻とを比較する（ステップＳ１４８）。そして、運用マスタデータ１１Ａの作成時刻よりも送信用マスタデータ１１Ｃの作成時刻が遅い場合（送信用マスタデータ１１Ｃの方が新しい場合）、クライアント管理装置４の制御部４ａは、要求情報送信手段４８（図４）の機能により、送信用マスタデータ１１Ｃの送信を要求する旨の情報（要求情報）をサーバ管理装置５へ送信する（ステップＳ１４９）。
【００７２】
サーバ管理装置５の制御部５ａは、クライアント管理装置４から当該要求情報を受信すると（図８のステップＳ５０）、マスタデータ送信手段５４（図４）の機能により、第１記憶部５１から送信用マスタデータ１１Ｃを読み出し（ステップＳ５１）、その送信用マスタデータ１１Ｃをクライアント管理装置４へ送信する（ステップＳ５２）。
クライアント管理装置４の制御部４ａは、サーバ管理装置５から送信された送信用マスタデータ１１Ｃを受信すると（ステップＳ１５０）、第２変更手段４３（図４）の機能により、送信用マスタデータ１１Ｃを運用マスタデータ１１Ａとして第２記憶部４１に記憶し（ステップＳ１５１）、運用マスタデータ１１Ａの内容を送信用マスタデータ１１Ｃの内容に変更する。
【００７３】
以上の処理が終了すると、サーバ管理装置５は、図５のステップＳ２に処理を戻し、クライアント管理装置４は、ステップＳ１０２に処理を戻す。その後、クライアント管理装置４は、修正内容が適用された運用マスタデータ１１Ａを用いて分析装置３の管理を行う。
【００７４】
以上に説明した本実施の形態では、運用マスタデータ１１Ａの内容を修正する必要がある場合、送信用マスタデータ１１Ｃとは別に設けられた修正用マスタデータ１１Ｂの内容を修正する。そして、この修正用マスタデータ１１Ｂの修正内容は、第１変更手段５３の処理（図５のステップＳ１１１〜Ｓ１１４の処理）を実行しない限り送信用マスタデータ１１Ｃには適用されず、従って日替わり処理後の運用マスタデータ１１Ａにも適用されない。そのため、日替わり処理の時刻を跨ぐ数日の間に修正用マスタデータ１１Ｂの修正作業を行うことが可能となり、作業時間が制限されることもない。これにより、修正を行う作業者の負担を軽減することができる。また、所定の適用日に修正用マスタデータ１１Ｂの修正内容を運用マスタデータ１１Ａに適用する場合には、その適用日への日替わり処理の前に、第１変更手段５３によって修正用マスタデータ１１Ｂの修正内容を送信用マスタデータ１１Ｃに適用すれば、日替わり処理の際に、第２変更手段４３によって当該修正内容を運用マスタデータ１１Ａにも適用することができる。
【００７５】
修正用マスタデータ１１Ｂの修正内容は、実行指示受付手段４５によってオペレータによる実行指示の入力を受け付けたときに、第１変更手段５３によって送信用マスタデータ１１Ｃに適用されるため、修正内容の適用日の前日中であればオペレータの都合に応じていつでも送信用マスタデータ１１Ｃに修正内容を適用することができる。そのため、オペレータは、決められた時間に決められた操作を強制されることがない。
【００７６】
本実施の形態では、クライアント管理装置４及びサーバ管理装置５の日替わり処理に合わせて、第２変更手段４３によって運用マスタデータ１１Ａの内容を送信用マスタデータ１１Ｃの内容に変更しているので、従来のようにクライアント管理装置４を手動で再起動させる必要がない。そのため、一部のクライアント管理装置４の再起動を忘れることにより、他のクライアント管理装置４との間で運用マスタデータ１１Ａに不整合が生じるという問題が生じることもなく、確実に全てのクライアント管理装置４の運用マスタデータ１１Ａに修正内容を適用することができる。また、クライアント管理装置４の再起動が不要となるので、本実施の形態の管理システム２を２４時間運用の管理システムとして構成することが可能となる。
【００７７】
本実施の形態では、送信用マスタデータ１１Ｃの作成時刻が運用マスタデータ１１Ａの作成時刻よりも遅い場合にのみ、サーバ管理装置５からクライアント管理装置４へ送信用マスタデータ１１Ｃを送信しているので、不要な送信用マスタデータ１１Ｃの送受信がなくなり、管理システム２の負荷を低減することができる。
【００７８】
本発明は、前記実施の形態に限定されるものではなく適宜設計変更可能である。例えば、前記実施の形態では、第２変更手段４３によって運用マスタデータ１１Ａの内容を送信用マスタデータ１１Ｃの内容に変更する処理を、日替わり処理の直後に行っているが、日替わり処理の直前又は最中に行うことができる。また、日替わり処理以外の所定の時刻に、第２変更手段４３による処理を行うことも可能である。
【００７９】
前記実施の形態では、修正用マスタデータ１１Ｂの修正を、クライアント管理装置４によって行っているが、サーバ管理装置５によって行ってもよい。また、第１変更手段５３を実行させるための指示の受け付けは、クライアント管理装置４ではなくサーバ管理装置５によって行うこともできる。
【００８０】
前記実施の形態では、管理システム２は、１台のサーバ管理装置５と複数台のクライアント管理装置４とからなるクライアント／サーバ型のシステムであるが、サーバ管理装置５としての機能と、クライアント管理装置４としての機能とが１台のコンピュータに備わったスタンドアローン型のシステムとして構成することができる。
【００８１】
前記実施形態の分析システム１は、オーダリングシステム８に通信回線７を介して接続され、電子データとしてのオーダを受け付けているが、例えば、紙形式（手書き、マークシート等）のオーダの情報を直接クライアント管理装置４に手入力したり、機械読取したりすることによってオーダを受け付けるものであってもよい。
【図面の簡単な説明】
【００８２】
【図１】本発明の一実施の形態に係る分析システムの構成を示す概略図である。
【図２】クライアント管理装置のハードウェア構成を示す図である。
【図３】サーバ管理装置のハードウェア構成を示す図である。
【図４】クライアント管理装置及びサーバ管理装置の機能構成を示す図である。
【図５】サーバ管理装置及びクライアント管理装置の処理手順を示すフローチャートである。
【図６】サーバ管理装置及びクライアント管理装置の処理手順を示すフローチャートである。
【図７】サーバ管理装置によるオーダ検索処理、クライアント管理装置におけるオーダ確認処理の手順を示すフローチャートである。
【図８】サーバ管理装置及びクライアント管理装置の日替わり処理の手順を示すフローチャートである。
【図９】修正用マスタデータの修正入力画面を示す図である。
【図１０】修正用マスタデータの内容を送信用マスタデータに適用するための適用指示画面を示す図である。
【図１１】日替わり処理を説明するための説明図である。
【符号の説明】
【００８３】
１  分析システム
２  管理システム
３  分析装置
４  クライアント管理装置
５  サーバ管理装置
１１Ａ  運用マスタデータ
１１Ｂ  修正用マスタデータ
１１Ｃ  送信用マスタデータ
４１  第２記憶部
４２  第２通信部
４３  第２変更手段
４４  修正手段
４５  実行指示受付手段
４６  日付情報保持部
４７  日付情報変更手段
４８  要求情報送信手段
４９  比較手段
５１  第１記憶部
５２  第１通信部
５３  第１変更手段
５４  マスタデータ送信手段
５５  作成時刻情報送信手段
５６  第１修正用マスタデータ送信手段
５７  第３変更手段
８１  受付手段
８２  第２修正用マスタデータ送信手段
８３  変更要求データ送信手段
【図１】
2008293406.tif 000003
【図２】
2008293406.tif 000004
【図３】
2008293406.tif 000005
【図４】
2008293406.tif 000006
【図５】
2008293406.tif 000007
【図６】
2008293406.tif 000008
【図７】
2008293406.tif 000009
【図８】
2008293406.tif 000010
【図９】
2008293406.tif 000011
【図１０】
2008293406.tif 000012
【図１１】
2008293406.tif 000013